(57)【要約】【課題】使用者が設定操作を行った項目に関連する項目に対して設定値の確認や、変更等の機能設定作業をスムーズに行うことができる情報処理装置およびプログラムを提供する。【解決手段】ある項目に対してユーザが設定操作を行ったとき、その項目に関連し、設定の確認を行うべき項目や、変更等の操作を行う必要がある項目等があるページと、表示中のページの切り替えを１回の動作による操作で行うことができるようにする。ユーザが設定操作を行った項目が、設定済みである他の項目と禁則関係である場合は、その設定操作を行った項目を仮設定状態とする。【選択図】図６
2013107247.tif 000002
【特許請求の範囲】
【請求項１】
操作入力項目を表示する複数の画面のうちの一の画面を表示する表示部と、
前記表示部に表示されている画面の切り替え操作および前記画面内の操作入力項目に対する操作を受け付ける操作部と、
前記表示部に表示されている画面内の操作入力項目に対する操作を前記操作部で受け付けかつその操作を受けた操作入力項目に関連する項目が別の画面にある場合に、所定の一操作を受けたら前記表示部に表示する画面を前記別の画面に切り替える制御部と、
を備える
ことを特徴とする情報処理装置。
【請求項２】
前記制御部は、前記別の画面に切り替えた後、該別の画面で所定の一操作を受けたら、前記表示部に表示する画面を元の画面に切り替える
ことを特徴とする請求項１に記載の情報処理装置。
【請求項３】
前記関連する項目とは、前記操作を受けた操作入力項目と禁則関係にある項目である
ことを特徴とする請求項１または２のいずれか１つに記載の情報処理装置。
【請求項４】
前記制御部は、既に設定された操作入力項目と禁則関係にある操作入力項目に対する操作を受けたら、その操作入力項目を設定せず、禁則により設定不可能の旨を前記表示部に表示する
ことを特徴とする請求項３に記載の情報処理装置。
【請求項５】
前記関連する項目とは、前記操作を受けた操作入力項目と共に入力が必要な未入力の操作入力項目、もしくは前記操作を受けた操作入力項目の設定時に設定内容を確認すべき項目である
ことを特徴とする請求項１または２のいずれか１つに記載の情報処理装置。
【請求項６】
前記制御部は、前記所定の一操作を受ける切り替えボタンを前記表示部に表示させる
ことを特徴とする請求項１乃至５のいずれか１つに記載の情報処理装置。
【請求項７】
前記一操作は、１回のフリック操作である
ことを特徴とする請求項１乃至５のいずれか１つに記載の情報処理装置。
【請求項８】
前記表示部は、操作入力項目を表示する前記複数の画面を１画面ずつ順に遷移させる場合の画面配列内での現在表示中の画面の位置を、前記画面配列に対応したインジケータで表示し、
前記制御部は、前記インジケータのうち前記関連する項目がある画面に対応する部分を、表示中の画面に対応する部分とは異なる表示形態で前記表示部に表示させる
ことを特徴とする請求項１乃至７のいずれか１つに記載の情報処理装置。
【請求項９】
前記異なる表示形態とは、点滅表示、反転表示、前記表示部に表示中の画面に対応する部分と異なる色での表示のいずれか１つである
ことを特徴とする請求項８に記載の情報処理装置。
【請求項１０】
操作入力項目を表示する画面を表示する表示部と、
前記表示部に表示されている操作入力項目に対する操作を受け付ける操作部と、
前記表示部に表示されている第１の操作入力項目への操作を前記操作部が受け付けた時に、設定済みである第２の操作入力項目と、前記第１の操作入力項目が禁則関係である場合は、第１の操作入力項目を仮の設定状態にしておき、第２の操作入力項目の設定が解除されたら第１の操作入力項目の設定を確定する制御部と、
を備える
ことを特徴とする情報処理装置。
【請求項１１】
前記表示部は、操作入力項目を表示する複数の画面のうちの一の画面を表示し、
前記操作部は、前記表示部に表示されている画面の切り替え操作をさらに受け付け、
前記第１の操作入力項目と、前記第２の操作入力項目は異なる画面にあって、
前記制御部は、前記第１の操作入力項目への操作を前記操作部が受け付けた時に、設定済みである前記第２の操作入力項目と、前記第１の操作入力項目が禁則関係である場合は、所定の一操作を受けたら前記表示部に表示する画面を前記第１の操作入力項目がある画面から前記第２の操作入力項目のある画面に切り替える
ことを特徴とする請求項１０に記載の情報処理装置。
【請求項１２】
前記制御部は、前記第２の操作入力項目のある画面に切り替えた後、該画面で所定の一操作を受けたら、前記表示部に表示する画面を元の画面に切り替える
ことを特徴とする請求項１１に記載の情報処理装置。
【請求項１３】
前記制御部は、前記所定の一操作を受ける切り替えボタンを前記表示部に表示させる
ことを特徴とする請求項１１または１２に記載の情報処理装置。
【請求項１４】
前記一操作は、１回のフリック操作である
ことを特徴とする請求項１１または１２に記載の情報処理装置。
【請求項１５】
前記表示部は、操作入力項目を表示する前記複数の画面を１画面ずつ順に遷移させる場合の画面配列内での現在表示中の画面の位置を、前記画面配列に対応したインジケータで表示し、
前記制御部は、前記インジケータのうち現在表示中の画面と前記所定の一操作を受けた場合に遷移する遷移先の画面に対応する部分とを異なる表示形態で前記表示部に表示させる
ことを特徴とする請求項１１乃至１４のいずれか１つに記載の情報処理装置。
【請求項１６】
前記異なる表示形態とは、点滅表示、反転表示、前記表示部に表示中の画面のインジケータと異なる色で表示のいずれか１つである
ことを特徴とする請求項１５に記載の情報処理装置。
【請求項１７】
操作入力項目を表示する複数の画面のうちの一の画面を表示する表示部と、前記表示部に表示されている画面の切り替え操作および前記画面内の操作入力項目に対する操作を受け付ける操作部とを備える情報処理装置を、
前記表示部に表示されている画面内の操作入力項目に対する操作を前記操作部で受け付けかつその操作を受けた操作入力項目に関連する項目が別の画面にある場合に、所定の一操作を受けたら前記表示部に表示する画面を前記別の画面に切り替えるように動作させる
ことを特徴とするプログラム。
【請求項１８】
操作入力項目を表示する画面を表示する表示部と、
前記表示部に表示されている操作入力項目に対する操作を受け付ける操作部とを備える情報処理装置を、
前記表示部に表示されている第１の操作入力項目への操作を前記操作部が受け付けた時に、設定済みである第２の操作入力項目と、前記第１の操作入力項目が禁則関係である場合は、第１の操作入力項目を仮の設定状態にしておき、第２の操作入力項目の設定が解除されたら第１の操作入力項目の設定を確定するように動作させる
ことを特徴とするプログラム。
【発明の詳細な説明】
【技術分野】
【０００１】
本発明は、表示画面の切り替えを簡易に行うことのできる情報処理装置、プログラムに関する。
【背景技術】
【０００２】
画像処理装置等の複合機は、印刷機能の他に様々な付加機能を有しており、操作パネル上の表示部に各種機能の項目を表示しつつ機能設定を行うことができるようになっている。しかし、機能設定を行う際には、ユーザにとって必要な設定項目だけでなく不必要な設定項目も表示部に表示されるため、項目の数が多ければ多いほど、必要な設定項目を見つけ出して設定入力を行うのに手間がかかり、ユーザに煩わしさを与えていた。そこで、必要な設定項目を速やかに見つけ出すことのできる技術が多数提案されている。
【０００３】
たとえば、下記特許文献１には、数多くの設定項目の中から使用者にとって必要な設定項目と不必要な設定項目とを区別して表示部に表示することで、使用者が必要とする任意の設定項目を素早く選択して設定値の変更等機能設定作業をスムーズに行い得るようにする方法が開示されている（特許文献１参照）。
【先行技術文献】
【特許文献】
【０００４】
【特許文献１】特開平１０−３１５５８７号公報
【発明の概要】
【発明が解決しようとする課題】
【０００５】
項目が多数存在し、同時に全ての項目を表示することができない等の場合、項目を複数のページに分けて配置し、ユーザは表示部に表示されるページを切り替えて目的の項目を探す、といったユーザインターフェイスが使用される。
【０００６】
しかし、ページ数が多く、目的の項目が配置されたページが現在表示中のページから離れている場合に、目的の項目が配置されたページまで１ページずつ順番にページを切り替えていくのは非常に手間がかかる。
【０００７】
また、目的の項目がどのページに配置されているのか分からない場合は、ユーザは表示部に表示されるページを１ページずつ切り替えて確認しながら目的の項目を探す必要があるため、さらに手間がかかってしまう。
【０００８】
特許文献１に開示の方法は、必要な設定項目群を表示するモードと、不必要な設定項目群を表示するモードとを切り替えるものであり、このような問題には対応していない。
【０００９】
本発明は、上記の問題を解決しようとするものであり、設定の確認を行うべき項目や、操作を行う必要がある項目等があるページへの切り替えを容易に行うことができる情報処理装置およびプログラムを提供することを目的としている。
【課題を解決するための手段】
【００１０】
かかる目的を達成するための本発明の要旨とするところは、次の各項の発明に存する。
【００１１】
［１］操作入力項目を表示する複数の画面のうちの一の画面を表示する表示部と、
前記表示部に表示されている画面の切り替え操作および前記画面内の操作入力項目に対する操作を受け付ける操作部と、
前記表示部に表示されている画面内の操作入力項目に対する操作を前記操作部で受け付けかつその操作を受けた操作入力項目に関連する項目が別の画面にある場合に、所定の一操作を受けたら前記表示部に表示する画面を前記別の画面に切り替える制御部と、
を備える
ことを特徴とする情報処理装置。
【００１２】
上記［１］および下記［１７］に係る発明では、ユーザが設定操作を行ったとき、表示中の画面からその項目と関連する項目がある画面に一操作（１回の動作による操作）で遷移することができる。これにより、ユーザが設定操作を行った項目に関連する項目の設定値の確認や変更等の作業をスムーズに行うことができる。
【００１３】
［２］前記制御部は、前記別の画面に切り替えた後、該別の画面で所定の一操作を受けたら、前記表示部に表示する画面を元の画面に切り替える
ことを特徴とする［１］に記載の情報処理装置。
【００１４】
上記［２］および下記［１２、に係る発明では、ユーザは、一操作で遷移した際の遷移後の画面と、遷移前の画面を一操作で切り替えることができる。これにより該遷移前の画面の内容を迅速且つ容易に再度確認等をすることができる。
【００１５】
［３］前記関連する項目とは、前記操作を受けた操作入力項目と禁則関係にある項目である
ことを特徴とする［１］または［２］のいずれか１つに記載の情報処理装置。
【００１６】
上記［３］および下記［１１］に係る発明では、ユーザが設定操作を行った項目と禁則関係にある項目のある画面へ一操作で遷移することができる。これにより、ユーザが設定操作を行った項目が、設定済みの項目と禁則関係にある項目であった場合、その設定済みの項目の画面に速やかに遷移し、その項目の設定を解除することができる。
【００１７】
［４］前記制御部は、既に設定された操作入力項目と禁則関係にある操作入力項目に対する操作を受けたら、その操作入力項目を設定せず、禁則により設定不可能の旨を前記表示部に表示する
ことを特徴とする［３］に記載の情報処理装置。
【００１８】
上記［４］に係る発明では、ユーザが設定操作を行った項目が、既に設定済みの項目と禁則関係にある場合、そのユーザの設定操作を無視して、禁則により設定不可能の旨を前記表示部に表示する。ユーザは、その設定済みの項目の設定を解除することで、先ほど設定操作を行った項目を設定することができる。
【００１９】
［５］前記関連する項目とは、前記操作を受けた操作入力項目と共に入力が必要な未入力の操作入力項目、もしくは前記操作を受けた操作入力項目の設定時に設定内容を確認すべき項目である
ことを特徴とする［１］または［２］のいずれか１つに記載の情報処理装置。
【００２０】
上記［５］に係る発明では、ユーザが設定操作を行ったとき、表示中の画面からその項目と関連する項目がある画面に一操作で遷移することができる。関連がある項目とは、ユーザが設定操作を行った項目に対して、設定内容を確認することが望ましい項目等である。たとえば、ユーザが印刷設定においてカバーシートをＯＮに設定した場合、通常そのカバーシートの紙はデフォルトに設定されたトレイから給紙されるが、念のために確認しておいた方が安全なので、カバーシートの給紙先となるトレイを確認すべき項目（関連する項目）とする。
【００２１】
［６］前記制御部は、前記所定の一操作を受ける切り替えボタンを前記表示部に表示させる
ことを特徴とする［１］乃至［５］のいずれか１つに記載の情報処理装置。
【００２２】
上記［６］および下記［１３］に係る発明では、ある項目に対する設定操作を受けたとき、現在表示中の画面と、その設定操作を受けた項目と関連する項目がある別の画面との切り替えを行うための切り替えボタンを表示部に表示する。ユーザはこの切り替えボタンを押下し、表示中の画面と、その項目と関連する項目がある画面を切り替えることができる。
【００２３】
［７］前記一操作は、１回のフリック操作である
ことを特徴とする［１］乃至［５］のいずれか１つに記載の情報処理装置。
【００２４】
上記［７］および下記［１４］に係る発明では、ある項目に対する設定操作を受けたとき、現在表示中の画面からその設定操作を受けた項目と関連する項目がある別の画面に、１回のフリック操作で遷移することができる。
【００２５】
［８］前記表示部は、操作入力項目を表示する前記複数の画面を１画面ずつ順に遷移させる場合の画面配列内での現在表示中の画面の位置を、前記画面配列に対応したインジケータで表示し、
前記制御部は、前記インジケータのうち前記関連する項目がある画面に対応する部分を、表示中の画面に対応する部分とは異なる表示形態で前記表示部に表示させる
ことを特徴とする［１］乃至［７］のいずれか１つに記載の情報処理装置。
【００２６】
上記［８］および下記［１５］に係る発明では、表示部に、現在表示されている画面が、一画面ずつ遷移させる場合の画面配列の中でどの位置にあるのかをインジケータで表示する。また、ユーザからある項目に対する設定操作を受けたとき、インジケータ内で現在の画面に対応する部分と、設定操作を受けたその項目と関連する項目がある別の画面に対応する部分とを異なる形態で表示する。これにより、ユーザは、設定操作を受けた項目のあるページとこの項目に関連する項目がある別の画面とが全画面の画面配列の中でそれぞれどの位置にあるのかを容易に確認することができる。
【００２７】
［９］前記異なる表示形態とは、点滅表示、反転表示、前記表示部に表示中の画面に対応する部分と異なる色での表示のいずれか１つである
ことを特徴とする［８］に記載の情報処理装置。
【００２８】
［１０］操作入力項目を表示する画面を表示する表示部と、
前記表示部に表示されている操作入力項目に対する操作を受け付ける操作部と、
前記表示部に表示されている第１の操作入力項目への操作を前記操作部が受け付けた時に、設定済みである第２の操作入力項目と、前記第１の操作入力項目が禁則関係である場合は、第１の操作入力項目を仮の設定状態にしておき、第２の操作入力項目の設定が解除されたら第１の操作入力項目の設定を確定する制御部と、
を備える
ことを特徴とする情報処理装置。
【００２９】
上記［１０］および下記［１８］に係る発明では、今回設定操作を受けた第１の項目が、設定済みの第２の項目と禁則関係であった場合、第１の項目を仮設定状態にしておき、第２の項目の設定が解除されたら第１の項目を仮設定状態から、設定状態に変更する。これにより、もし第１の項目を設定したい場合に、第２の項目の設定を解除してから改めて第１の項目を設定するといった操作手順を踏む必要が無くなり、操作負担が軽減される。なお、ユーザは第１の項目の仮設定状態を解除することもできる。
【００３０】
［１１］前記表示部は、操作入力項目を表示する複数の画面のうちの一の画面を表示し、
前記操作部は、前記表示部に表示されている画面の切り替え操作をさらに受け付け、
前記第１の操作入力項目と、前記第２の操作入力項目は異なる画面にあって、
前記制御部は、前記第１の操作入力項目への操作を前記操作部が受け付けた時に、設定済みである前記第２の操作入力項目と、前記第１の操作入力項目が禁則関係である場合は、所定の一操作を受けたら前記表示部に表示する画面を前記第１の操作入力項目がある画面から前記第２の操作入力項目のある画面に切り替える
ことを特徴とする［１０］に記載の情報処理装置。
【００３１】
［１２］前記制御部は、前記第２の操作入力項目のある画面に切り替えた後、該画面で所定の一操作を受けたら、前記表示部に表示する画面を元の画面に切り替える
ことを特徴とする［１１］に記載の情報処理装置。
【００３２】
［１３］前記制御部は、前記所定の一操作を受ける切り替えボタンを前記表示部に表示させる
ことを特徴とする［１１］乃至［１２］のいずれか１つに記載の情報処理装置。
【００３３】
［１４］前記一操作は、１回のフリック操作である
ことを特徴とする［１１］乃至［１２］のいずれか１つに記載の情報処理装置。
【００３４】
［１５］前記表示部は、操作入力項目を表示する前記複数の画面を１画面ずつ順に遷移させる場合の画面配列内での現在表示中の画面の位置を、前記画面配列に対応したインジケータで表示し、
前記制御部は、前記インジケータのうち現在表示中の画面と前記所定の一操作を受けた場合に遷移する遷移先の画面に対応する部分とを異なる表示形態で前記表示部に表示させる
ことを特徴とする［１１］乃至［１４］のいずれか１つに記載の情報処理装置。
【００３５】
［１６］前記異なる表示形態とは、点滅表示、反転表示、前記表示部に表示中の画面のインジケータと異なる色で表示のいずれか１つである
ことを特徴とする［１５］に記載の情報処理装置。
【００３６】
［１７］操作入力項目を表示する複数の画面のうちの一の画面を表示する表示部と、前記表示部に表示されている画面の切り替え操作および前記画面内の操作入力項目に対する操作を受け付ける操作部とを備える情報処理装置を、
前記表示部に表示されている画面内の操作入力項目に対する操作を前記操作部で受け付けかつその操作を受けた操作入力項目に関連する項目が別の画面にある場合に、所定の一操作を受けたら前記表示部に表示する画面を前記別の画面に切り替えるように動作させる
ことを特徴とするプログラム。
【００３７】
［１８］操作入力項目を表示する画面を表示する表示部と、
前記表示部に表示されている操作入力項目に対する操作を受け付ける操作部とを備える情報処理装置を、
前記表示部に表示されている第１の操作入力項目への操作を前記操作部が受け付けた時に、設定済みである第２の操作入力項目と、前記第１の操作入力項目が禁則関係である場合は、第１の操作入力項目を仮の設定状態にしておき、第２の操作入力項目の設定が解除されたら第１の操作入力項目の設定を確定するように動作させる
ことを特徴とするプログラム。
【発明の効果】
【００３８】
本発明に係る情報処理装置およびプログラムによれば、設定の確認を行うべき項目や、操作を行う必要がある項目等があるページへの切り替えを容易に行うことができる。
【図面の簡単な説明】
【００３９】
【図１】本発明の実施の形態に係る画像処理装置の概略構成を示すブロック図である。
【図２】態様例１において表示部に表示される２ページ目の画面の一例を示す説明図である。
【図３】態様例１において、仮設定状態の項目が発生した場合に表示部に表示される６ページ目の画面の一例を示す説明図である。
【図４】態様例１において仮設定状態の項目がある状態で２ページ目に戻ってきた際に表示部に表示される画面の一例を示す説明図である。
【図５】態様例１において、仮設定状態から、設定状態に変更された項目のある６ページ目の画面が表示部に表示される一例を示す説明図である。
【図６】態様例１における処理の流れを示す流れ図である。
【図７】態様例２において、設定不可能メッセージが出現した場合に表示部に表示される６ページ目の画面の一例を示す説明図である。
【図８】態様例２において、ユーザが設定操作を行った項目と禁則関係である設定済みの項目のある画面に遷移した時に表示部に表示される２ページ目の画面の一例を示す説明図である。
【図９】態様例２における処理の流れを示す流れ図である。
【図１０】態様例３において、仮設定状態の項目が発生した場合に表示部に表示される１ページ目の画面の一例を示す説明図である。
【図１１】態様例３において、仮設定状態の項目がある状態で３ページ目に遷移した際に表示部に表示される画面の一例を示す説明図である。
【図１２】態様例３において、仮設定状態の項目がある状態で７ページ目に遷移した際に表示部に表示される画面の一例を示す説明図である。
【図１３】態様例４において、ユーザが設定操作を行った項目と禁則関係である設定済みの項目が同画面にある場合に表示部に表示される画面の一例を示す説明図である。
【図１４】態様例５において、ユーザが設定操作を行った項目と関連する項目のあるページを示すインジケータが点滅している場合に表示部に表示される１ページ目の画面の一例を示す説明図である。
【図１５】態様例５において、ユーザが設定操作を行った項目と関連する項目のあるページに遷移した場合に表示部に表示される８ページ目の画面の一例を示す説明図である。
【図１６】態様例５における処理の流れを示す流れ図である。
【発明を実施するための形態】
【００４０】
以下、図面に基づき本発明の実施の形態を説明する。
【００４１】
図１は、本発明の実施の形態に係る情報処理装置としての画像処理装置（ＭＦＰ）１０の概略構成を示すブロック図である。画像処理装置１０は、当該画像処理装置１０の動作を統括的に制御するＣＰＵ(Central Processing Unit)１１を有している。ＣＰＵ１１にはバスを通じてＲＯＭ(Read Only Memory)１２と、ＲＡＭ(Random Access Memory)１３と、画像読取部１４と、プリンタ部１５と、画像処理部１６と、不揮発メモリ１７と、自動原稿搬送部（ＡＤＦ）１８と、ファクシミリ通信部１９と、ネットワーク通信部２１と、操作表示部３０とを備えている。
【００４２】
ＣＰＵ１１は、ＯＳ（Operating System）プログラムをベースとし、その上で、ミドルウェアやアプリケーションプログラムなどを実行する。また、ＣＰＵ１１は、操作表示部３０の表示内容を制御する制御部としての機能を果たす。
【００４３】
ＲＯＭ１２には、各種のプログラムが格納されており、これらのプログラムに従ってＣＰＵ１１が各種処理を実行することで画像処理装置１０の各機能が実現される。また、ＲＯＭ１２には、前述の制御部としての一連の制御をＣＰＵ１１が実行するためのプログラムが格納されている。
【００４４】
ＲＡＭ１３は、ＣＰＵ１１がプログラムに基づいて処理を実行する際に各種のデータを一時的に格納するワークメモリや画像データを格納する画像メモリなどとして使用される。
【００４５】
画像読取部１４は、原稿を光学的に読み取って画像データを取得する機能を果たす。画像読取部１４は、例えば、原稿に光を照射する光源と、その反射光を受けて原稿を幅方向に１ライン分読み取るラインイメージセンサと、ライン単位の読取位置を原稿の長さ方向に順次移動させる移動ユニットと、原稿からの反射光をラインイメージセンサに導いて結像させるレンズやミラーなどからなる光学経路と、ラインイメージセンサの出力するアナログ画像信号をデジタルの画像データに変換する変換部などを備えて構成される。
【００４６】
プリンタ部１５は、画像データに応じた画像を記録紙上に画像形成する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。画像形成は他の方式でもかまわない。
【００４７】
画像処理部１６は、画像の拡大縮小、回転などの処理のほか、印刷データをイメージデータに変換するラスタライズ処理、画像データの圧縮、伸張処理などを行う。
【００４８】
不揮発メモリ１７は、電源をオフにしても記憶内容が破壊されないメモリ（フラッシュメモリ）であり、各種設定情報の保存などに使用される。
【００４９】
自動原稿搬送部（ＡＤＦ）１８は、原稿台にセットされた原稿をその最上のものから１枚ずつ順に繰り出して搬送し、画像読取部１４の読み取り位置を通過させて所定の排紙位置へ排紙する機能を果たす。
【００５０】
ファクシミリ通信部１９は、ファクシミリ機能を備えた外部装置と公衆回線を通じて画像データを送受信する機能を果たす。
【００５１】
ネットワーク通信部２１は、ＬＡＮ(Local Area Network)などのネットワークを通じて端末装置やその他の外部装置との間でデータを通信する機能を果たす。
【００５２】
操作表示部３０は、表示部３１と、操作部３２とを備えている。このうち操作部３２は、スタートボタンなどのスイッチ部３３とタッチパネル部３４とを備えている。表示部３１は、液晶ディスプレイ（ＬＣＤ…Liquid Crystal Display）などで構成され、各種の操作画面、設定画面などを表示する機能を果たす。
【００５３】
タッチパネル部３４は、表示部３１のディスプレイに設けられている。タッチパネル部３４は、タッチペンや指などでディスプレイが押下された座標位置や、フリック操作やドラッグ操作、スクロールバーに対する操作を検出する。フリック操作は、指などでディスプレイをタッチした後、その指を跳ねるように動作させる操作であり、ＣＰＵ１１は跳ねる動作の方向を検出し、検出された方向に表示する画面をスクロールさせたりする。
【００５４】
画像処理装置１０は、ユーザからの印刷設定や、本体設定等の設定操作を操作部３２で受け付ける。画像処理装置１０は、表示部３１に表示中の画面内にある項目への設定操作を受け付けた場合、表示中の画面から、その項目と関連性のある他の項目のある画面へ、１回のフリック操作などの一操作で切り替えることができる機能（関連画面簡易切り替え機能とする）を備えている。
【００５５】
図２は、ユーザが印刷設定中に表示部に表示される画面４０の一例を示す。画面４０の上部に項目欄４３が、項目欄４３の下には項目釦４２が、画面下部にはインジケータ４１が、画面右下部には終了釦４４がそれぞれ表示されている。
【００５６】
項目欄４３は、項目を複数のグループに分類したグループの種類名を示し、その下の項目釦４２は項目欄４３に表示されたグループに属する各項目を選択するための釦である。項目釦４２は、その項目が設定されている場合の表示態様が非設定の場合と異なるものになる。図２の例では、設定された項目の項目釦４２はグレー表示されている。なお、設定された項目釦は、グレー表示することで非設定のものと区別するものとする。
【００５７】
印刷設定に関連する項目欄４３は、２つの項目欄ずつの複数の画面に分けて表示される。インジケータ４１は、印刷設定に使用される各画面をページとして扱い、現在表示している画面４０が全ページの中で何ページ目なのかを、横１列に並べたブロックで表している。すなわち、１つのブロックは１つのページに対応しており、インジケータ４１は、全ページ分のブロックを横一列に配列して構成される。複数のページを１ページずつ順に遷移させる場合のページ配列は予め定めてあり、各ブロックはこのページ配列に対応している。そして、インジケータ４１は、特定のページ（たとえば、表示中のページ）に対応するブロックを点滅等させることで、ページ配列内でのそのページの位置を表示する。本実施の形態では、現在表示中のインジケータ４１のブロックはグレー表示する。
【００５８】
図２の例では、現在、表示部３１に表示中のページを示すブロックはグレー表示し、それ以外のブロックは黒色で表示して区別している。また、本実施の形態では、インジケータ４１の上に、表示部３１に表示中のページが全ページに対して先頭（左端）から何ページ目なのかを数字で表示している。図２では表示されているページは８ページ中の２ページ目であることが表示されている。
【００５９】
ユーザはタッチパネル部３４に対して左右方向のフリック操作を行うことにより、表示部３１に表示するページを切り替えることができる。実施の形態では、右から左方向へ払うようなフリック操作を行うと、ページ数が進み（例えば１ページ目から2ページ目へ進む）、左から右方向へ払うようなフリック操作を行うと、ページ数が戻る（たとえば２ページ目から１ページ目に戻る）ようになっている。通常のページ切り替えの際には、１ページ目、２ページ目、３ページ目、・・・や、８ページ目、７ページ目、６ページ目・・・のように、１回のフリック操作で１ページずつ移動するようになっている。
【００６０】
終了釦４４が押下されたら、印刷設定に係る画面（ページ）の表示を終了する。
【００６１】
複数の項目の機能を設定する際に、同時に設定することができない項目の組み合わせを禁則設定と言い、それらの項目の関係を禁則関係と呼ぶ。上記のような画面において、禁則関係にある２つの項目への設定操作が行われた時の従来の処理として、後優先と、先優先の２パターンがある。後優先は、２つのうち後から設定操作された項目を優先して設定し、先に設定されていた項目の設定を解除する。先優先は２つのうち先に設定された方を優先して設定し、先に設定された項目と禁則関係である項目への設定操作は無視される。
【００６２】
後優先の場合は、後から設定された項目が優先されるが、先優先の場合は、後から設定しようとした項目への設定操作は無視されるため、後からの設定操作を有効にするためには、先に設定した項目の設定を解除してから、改めてもう一度設定操作を行う必要がある。２つの項目が離れたページに配置されていた場合、それぞれのページ間を行き来する際に１ページずつ移動するのは、ユーザにとって手間がかかり煩わしい。本発明は、先優先等の場合における上記問題の改善策を提示する。これより、複数の態様例について、表示部３１に表示される画面（ページ）の切り替わり方について説明する。
【００６３】
＜態様例１＞
態様例１では、後から設定操作が行われた項目と禁則関係にあって設定済みの項目のあるページまで１フリック操作で移動することができるようにする。これにより、それぞれの項目の配置されたページが離れていても１フリックでそれらのページ間を移動するので上記の問題は改善される。なお、態様例１では、後から設定操作が行われた項目を仮設定状態としておき、先に設定された項目の設定が解除されたら自動で仮設定状態から、正式に設定が確定するようになっており、先に設定した項目の解除後に後の項目のページへ戻って設定し直す手間が軽減される。
【００６４】
以下、態様例１の画面遷移を具体例に基づいて説明する。図２の画面４０は、全８ページ中の２ページ目の画面である。本例では、まずユーザから２ページ目の画面４０で、項目釦４２ａの操作を受けてページ集約の２ｉｎ１の設定を受け付ける。また、項目釦４２ｂの操作を受けて光沢コピーの設定を受ける。次に、ユーザからフリック操作を４回受け付けることにより図３に示す６ページ目の画面４０に切り替える。そしてユーザからスタンプの項目釦４２ｃと、カバーシートＯＮの項目釦４２ｄに対して設定操作を受け付ける（図３参照）。画像処理装置１０ではカバーシートＯＮと先程設定した２ｉｎ１は禁則関係にあってどちらか一方しか設定できないとする。この場合、既に２ｉｎ１が設定されているため、カバーシートＯＮに対するユーザからの設定操作を受けたとき、このカバーシートＯＮの項目を仮設定状態にする。仮設定状態の項目の項目釦４２（本例では項目釦４２ｄ）は、グレー表示に加えて釦の枠が破線で表示され、他の項目釦４２と区別される。カバーシートＯＮの項目を仮設定状態にしたら、カバーシートＯＮの項目と禁則関係にある項目の項目釦（ここでは２ｉｎ１の項目釦４２ａ）があるページ（２ページ目）を示すインジケータ４１のブロックを白色でかつ枠線を破線のブロックで点滅表示させ、他のページを表すブロックと区別する。
【００６５】
この点滅表示状態において、点滅するインジケータ４１のブロックが示すページの方向へのフリック操作を受けると、この１回のフリック操作で一気に、点滅するインジケータ４１のブロックが示すページ（６ページ目から２ページ目）に遷移する。図４は、上記１回のフリック操作により２ページ目に遷移した際の画面４０を示す。仮設定状態の項目であるカバーシートＯＮと禁則関係にある２ｉｎ１の項目の項目釦４２ａは、枠線が破線で、かつ点滅表示し、禁則とならない選択済みの項目の釦と区別して表示される。また、２ｉｎ１と禁則関係にある項目（カバーシートＯＮ）があるページ（６ページ目）を示すインジケータ４１のブロックは、白色でかつ枠線を破線のブロックで点滅表示される。なお、仮設定状態の項目がある間は、１回のフリック操作で、禁則関係にある項目の釦があるページ間を遷移する。
【００６６】
ユーザから２ｉｎ１の設定の解除操作を受け付けると、２ｉｎ１の設定を解除すると共に、仮設定状態になっていたカバーシートＯＮの項目を自動で正式に設定する。たとえば、２ｉｎ１の項目釦４２ａの操作を再度受けると設定が解除される。その後、ユーザから右から左方向へ払うフリック操作を受け付けると、もう一回だけ２ページ目から６ページ目に遷移する。これによりユーザは最後に仮設定状態であった項目が自動で正式に設定されたことを１フリック操作でのページ遷移によって確認することができる。図５は２ｉｎ１の設定を解除した後に、６ページ目に戻ってきた際の画面４０を示す。カバーシートＯＮの項目の項目釦４２ｄは枠線が実線の通常のグレー表示となり、この項目が仮設定状態から設定状態に変わっている。また、禁則関係の設定が解除されたことで、カバーシートＯＮと禁則関係である２ｉｎ１の項目があるページを表すインジケータ４１のブロックの点滅表示が終了している。
【００６７】
なお、仮設定状態の項目があるまま、終了釦４４が押下された場合、その項目の仮設定状態は自動的に解除されて非設定になる。
【００６８】
図６は、態様例１において、設定済みの項目と禁則関係にある項目に対しての設定操作を受け付けてから、仮設定状態の項目が正式に設定されるまでの詳細な流れを示す。まず、画像処理装置１０は、ユーザの設定操作を監視し、設定済みの項目と禁則関係にある項目に対する設定操作を受け付けたら（ステップＳ１０１；Ｙｅｓ）、設定操作された項目を仮設定状態にし、その項目と禁則関係にある設定済みの項目のあるページのインジケータ４１を点滅表示させる（ステップＳ１０２）。
【００６９】
画像処理装置１０はユーザから、インジケータ４１が点滅しているページに遷移する方向へのフリック操作を受け付けたら（ステップＳ１０３；Ｙｅｓ）、表示するページを、仮設定状態の項目と禁則関係にある項目があるページに一気に遷移（ジャンプ）させる。
【００７０】
次に、ユーザから禁則関係にある項目の設定の解除を受け付けたら（ステップＳ１０５；Ｙｅｓ）、先ほど仮設定状態にした項目を自動で正式に設定し、その項目があるページに対応するインジケータ４１の点滅を終了し（ステップＳ１０６）、処理を終了する。
【００７１】
＜態様例２＞
態様例２でも、後から設定操作が行われた項目と禁則関係にあって設定済みの項目のあるページまで１フリック操作で移動することができるようにする。これにより、それぞれの項目の配置されたページが離れていても１フリックでそれらのページ間を移動するので態様例１と同じくページ間移動に関する問題は改善される。ただし、態様例２は、後から設定操作が行われた項目を仮設定状態にしない点で態様例１と相違する。
【００７２】
以下、態様例２の画面遷移を具体例に基づいて説明する。まず態様例１と同様に、ユーザが図２の示す２ページ目の画面４０で、ページ集約の２ｉｎ１と光沢コピーの項目を設定したものとする。次に、ユーザからフリック操作を４回受けて図７に示す６ページ目の画面４０に遷移し、６ページ目の画面４０にてカバーシートＯＮの項目釦４２ｄに対する設定操作を受ける（図７参照）。態様例１と同じく、画像処理装置１０ではカバーシートＯＮと先程設定した２ｉｎ１とは禁則関係にあってどちらか一方しか設定できないとする。この場合、既に２ｉｎ１が設定されているため、カバーシートＯＮは、ユーザから設定操作を受けても設定されない。
【００７３】
この際に、態様例２では、画面４０の左上部に、設定不可の旨および設定操作が行われた項目（この場合はカバーシートＯＮ）と禁則設定となる機能の種類を示す設定不可メッセージ４５を表示する（図７参照）。態様例１と異なり、カバーシートＯＮは仮設定状態にならない。
【００７４】
また、ユーザから設定操作を受けたカバーシートＯＮの項目と禁則関係にある設定済みの項目（ここでは２ｉｎ１）のあるページ（２ページ目）を示すインジケータ４１のブロックを、白色かつ枠線を破線にして点滅表示し、他のブロックと区別する。
【００７５】
ユーザは点滅するインジケータ４１の示すページ（２ｉｎ１の項目釦があるページ）に遷移したい場合、そのページのある方向へのフリック操作を１回行う。画像処理装置１０は、ユーザから１回のフリック操作を受けると、現在表示中のページ（６ページ目）から該当のページ（２ページ目）に表示するページを一気に遷移させる。なお、遷移が行われると、６ページ目の画面４０において表示されていた設定不可メッセージ４５は非表示になり、インジケータ４１のブロックの点滅表示も終了する。
【００７６】
図８は、態様例２において６ページ目から遷移した２ページ目の画面４０を示す。先ほどユーザが６ページ目で設定操作を行ったカバーシートＯＮの項目と、禁則関係にある２ｉｎ１の項目の項目釦４２ａは、枠線が破線でかつ点滅表示され、禁則とならない設定済みの項目の項目釦と区別して表示される。ここで、ユーザは２ｉｎ１の設定を解除することができる。また、２ｉｎ１の設定を解除せずに他のページに遷移すると、２ｉｎ１の項目釦４２ａの表示は、通常の選択済みの項目釦の表示（実線枠によるグレー表示、点滅無し）に戻る。
【００７７】
図９は、態様例２において、設定済みの項目と禁則関係にある項目に対する設定操作を受け付けてから、設定済みの項目の点滅表示が終了するまでの詳細な流れを示す。画像処理装置１０は、ユーザの設定操作を監視し（ステップＳ２０１；Ｎｏ）、設定済みの項目と禁則関係にある項目に対する設定操作を受け付けたら（ステップＳ２０１；Ｙｅｓ）、その項目の設定を行わずに、設定不可メッセージ４５を表示し、設定操作を受けた項目と禁則関係の項目が配置されたページを示すインジケータ４１のブロックを点滅表示させる（ステップＳ２０２）。
【００７８】
次に、画像処理装置１０はユーザから、点滅中のインジケータ４１のブロックが示すページに遷移する方向へのフリック操作を受け付けたら（ステップＳ２０３；Ｙｅｓ）、先ほど設定操作の対象となった項目と禁則関係にある項目（この時点で設定済み）があるページに表示するページを一気に遷移（ジャンプ）させる（ステップＳ２０４）。
【００７９】
遷移前のページでのインジケータ４１の点滅表示を終了し、遷移後のページでは、ステップＳ２０１で設定操作を受けた項目と禁則関係である項目の項目釦を、枠を破線で、かつ点滅表示する（ステップＳ２０５）。
【００８０】
ステップＳ２０１で設定操作を受けた項目と禁則関係の項目の設定解除を受け付けたら（ステップＳ２０６；Ｙｅｓ）、ステップＳ２０８に進む。設定解除を受け付けなかった場合は（ステップＳ２０６；Ｎｏ）、ステップＳ２０７に進む。ステップＳ２０７ではページ遷移が行われたか否かを監視する。ページ遷移が行われなければ（ステップＳ２０７；Ｎｏ）、ステップＳ２０６に戻って処理を継続する。ページ遷移が行われたら（ステップＳ２０７；Ｙｅｓ）、ステップＳ２０８に進む。
【００８１】
ステップＳ２０８では、ステップＳ２０１で設定操作を受けた項目と禁則関係の項目の項目釦の点滅表示を終了し（ステップＳ２０８）、処理を終了する。
【００８２】
＜態様例３＞
態様例３では、後から設定操作が行われた項目と禁則関係にあって設定済みの項目が２つあり、その二つの項目が別々のページに配置されている場合を示す。態様例３では、後から設定操作が行われた項目と禁則関係にあるそれぞれの項目の配置されたページが離れていても、１または２回のフリック操作でそれらのページ間を移動することができ、態様例１と同じくページ間移動に関する問題が改善される。
【００８３】
以下、態様例３の画面遷移を具体例に基づいて説明する。まず、図１０に示す画面４０（１ページ目）において、Ａ３の項目に対する設定操作を受ける。この時、Ａ３の項目と禁則関係にある設定済みの項目が２つあるものとする。１つは３ページ目の項目Ｅ２、もう一つは７ページ目の項目Ｎ３とする。この時、それらの項目が存在するページを示すインジケータ４１の各ブロックを白色かつ枠が破線の状態で点滅表示し、他のブロックと区別して表示する。図１０では、現在表示されているページは１ページ目（グレー表示）であり、破線の枠で点滅表示されているのは３ページ目と７ページ目に当たるインジケータ４１のブロックである。また、設定操作が行われたＡ３の項目は、仮設定状態として、その項目釦４３ｆをグレー表示かつ枠を点線で表示し、他の項目釦４２と区別して表示する。
【００８４】
仮設定状態の項目がある場合、ユーザは、Ａ３の項目と禁則関係にある設定済みの項目があるページ（３ページ目、７ページ目）に、通常時のように１ページずつ順番に遷移していくのではなく、Ａ３の項目と禁則関係にある設定済みの項目があるページ以外のページは飛ばして遷移していくことができる。図１１、図１２は態様例３の場合の遷移先の画面を示す。図１１は３ページ目、図１２は７ページ目である。Ａ３の項目と禁則関係にある設定済みの項目であるＥ２とＮ３の項目の項目釦４２ｇ、４２ｈは、グレー表示かつ枠線が破線で、なおかつ点滅表示し、禁則とならない設定済みの項目の釦（グレー表示で枠は実線）と区別して表示される。
【００８５】
１ページ目（図１０参照）から遷移を開始すると、１回目のフリック操作で３ページ目（図１１参照）まで遷移する。次に、もう一度フリック操作を行うと７ページ目（図１２参照）に遷移する。図１１では、１ページ目と７ページ目を表すインジケータ４１のブロックが、図１２では１ページ目と３ページ目を表すインジケータ４１のブロックが、それぞれ白色で枠が点線の状態で点滅表示している。なお、図１１に示す３ページ目の画面４０において、１ページ目の方向へのフリック動作を１回受けると、１ページ目に遷移する。
【００８６】
Ａ３の項目と禁則関係にある設定済みの両項目（Ｅ２、Ｎ３）の設定を解除し、禁則となる設定の組み合わせが解消されたら、仮設定状態であるＡ３の項目を設定状態に自動変更する。なお、ユーザはＡ３の項目の仮設定状態を解除してもよい。仮設定状態の項目があるまま、終了釦４４を押下された場合、その項目の仮設定状態は自動的に解除される。
【００８７】
＜態様例４＞
態様例４は、禁則関係となる項目が同じページ内にある場合の例である。この場合は、禁則設定が発生した時に、その禁則設定の解除を行うためにページ遷移を行う必要はない。なお、態様例４は、前述の先優先のパターンであり、態様例１のように、後から設定した項目を仮設定状態にする。
【００８８】
ユーザがＡ３の項目に対する設定操作を行った際に、Ａ３と禁則関係にあるＢ３の項目が設定済みであったとする（図１３参照）。Ａ３とＢ３は禁則関係であり同時に設定することはできないので、後から設定操作を受けたＡ３は仮設定状態となり、その項目釦４２ｆはグレー表示で枠を破線で表示し、他の項目釦と区別して表示する。そして、現在表示中の画面を示すインジケータ４１のブロックを、グレー表示かつ枠線を破線で点滅表示させ、他のブロックと区別して表示する。
【００８９】
同一ページ内にあるＢ３の項目は、ユーザが設定操作を行った項目と禁則関係にある項目なので、Ｂ３の項目釦４２ｉは点滅表示され、他の項目釦４２と区別される。ユーザがＢ３の項目の設定を解除すると、Ａ３の項目の仮設定状態が設定状態に自動変更され、インジケータ４１の点滅が終了して通常の表示に戻る。Ａ３の項目の仮設定状態を解除した場合は、Ｂ３の項目釦４２ｉの表示が通常に戻り、インジケータ４１の点滅が終了して通常の表示に戻る。仮設定状態の項目があるまま、終了釦４４が押下された場合、２つの項目の仮設定状態はすべて解除される。
【００９０】
＜態様例５＞
態様例５では、設定操作が行われた項目と関連する項目（禁則関係以外）があるページへの遷移を１回のフリック操作で行うことができるようにする。関連する項目とは、たとえば、ユーザが設定操作を行った項目に対して設定内容を確認することが推奨される項目等である。これにより、関連する項目の配置されたページが離れていても１フリックでそれらのページ間を移動できるので、離れたページ間を行き来する際に手間がかかるという問題は改善される。
【００９１】
具体的な例では、ユーザが、図１４に示す１ページ目の画面４０において、カバーシートの項目の設定操作を行う。この時、カバーシートの項目に関連する項目であるカバー用紙選択の項目が配置されているページ（８ページ目）を示すインジケータ４１のブロックを、白色で枠線が破線で点滅表示し（巣１５参照）、他のブロックと区別して表示する。カバーシートの用紙には、通常はデフォルト設定に応じたトレイの用紙が使用されるが、念のため給紙トレイを確認した方が好ましいので、カバー用紙選択の項目が関連する項目として予め設定されている。
【００９２】
この状態でユーザからフリック操作を１回受けると、関連する項目（カバー用紙選択の項目）が配置されたページに該１回のフリック操作で表示ページが遷移する。これにより、ユーザは設定されている給紙トレイを迅速かつ容易に確認することできる。図１５に示す８ページ目の画面４０（遷移後のページ）には、ユーザが１ページ目の画面で設定操作を行った項目（カバーシート）に関連する項目であるカバー用紙選択の項目の項目釦４２ｊがグレー表示かつ枠が破線で点滅表示され、他の項目釦と区別して表示されている。関連する項目のあるページ（８ページ）に遷移すると、１ページ目でのインジケータ４１のブロックの点滅が終了する。また、８ページ目から更に他のページに遷移すると、カバー用紙選択の項目釦の表示も通常表示に戻る。
【００９３】
図１６は、態様例５において、関連項目を有する項目への設定操作を受け付けてから、遷移前のページでのインジケータ４１のブロックの点滅を終了するまでの流れを示す。まず、画像処理装置１０が関連項目を有する項目への設定操作を受け付けたら（ステップＳ３０１；Ｙｅｓ）、関連する項目のあるページを表すインジケータ４１のブロックを点滅させる（ステップＳ３０２）。
【００９４】
次に、画像処理装置１０は、ユーザから、インジケータ４１のブロックが点滅しているページの方向へのフリック操作の受け付けを待って（ステップＳ３０３；Ｎｏ）、上記フリック操作を受け付けたら（ステップＳ３０３；Ｙｅｓ）、表示ページを、関連する項目があるページに一気に遷移（ジャンプ）させる（ステップＳ３０４）。その後、ステップＳ３０２で点滅表示させたインジケータ４１のブロックの点滅表示を終了し（ステップＳ３０５）、処理を終了する。
【００９５】
以上、本発明の実施の形態を図面によって説明してきたが、具体的な構成は実施の形態に示したものに限られるものではなく、本発明の要旨を逸脱しない範囲における変更や追加があっても本発明に含まれる。
【００９６】
本発明の実施の形態における態様例４では、禁則となる項目は２つであったが、３つ以上であってもよい。
【００９７】
本発明の実施の形態における態様例は組み合わせて使用してもよい、ただし整合性のとれる範囲内で行う。たとえば、態様例１と態様例４を組み合わせたり、態様例１と態様例３と態様例５を組み合わせたりすることができる。態様例１と態様例２の組み合わせは不可である。ただし、態様例１と態様例２のどちらの動作を行わせるかは、画像処理装置１０の本体設定で予め設定することができる。
【００９８】
画面遷移は、フリック操作以外で行ってもよい。ユーザが設定操作した項目と禁則関係の項目（設定済みの）のあるページや、ユーザが設定操作した項目に関連する項目のあるページに表示ページを遷移させるための切り替え釦を画面に出現させ、その釦が押下されたら目的のページに一気に遷移するように構成してもよい。
【００９９】
実施の形態では、ユーザが設定操作した項目と禁則関係の項目（設定済みの）のあるページや、ユーザが設定操作した項目に関連する項目のあるページを示すインジケータのブロックの表示形態は、白色で枠が破線の状態で点滅表示であったが、他の表示形態でもよい。その他のインジケータと異なる色であれば他の色であってもよいし、反転表示してもよい。
【符号の説明】
【０１００】
１０…画像処理装置（ＭＦＰ）
１１…ＣＰＵ
１２…ＲＯＭ
１３…ＲＡＭ
１４…画像読取部
１５…プリンタ部
１６…画像処理部
１７…不揮発メモリ
１８…自動原稿搬送部（ＡＤＦ）
１９…ファクシミリ通信部
２１…ネットワーク通信部
３０…操作表示部
３１…表示部
３２…操作部
３３…スイッチ部
３４…タッチパネル部
４０…画面
４１…インジケータ
４２…項目釦
４３…項目欄
４４…終了釦
４５…設定不可メッセージ
【図１】
2013107247.tif 000003
【図２】
2013107247.tif 000004
【図３】
2013107247.tif 000005
【図４】
2013107247.tif 000006
【図５】
2013107247.tif 000007
【図６】
2013107247.tif 000008
【図７】
2013107247.tif 000009
【図８】
2013107247.tif 000010
【図９】
2013107247.tif 000011
【図１０】
2013107247.tif 000012
【図１１】
2013107247.tif 000013
【図１２】
2013107247.tif 000014
【図１３】
2013107247.tif 000015
【図１４】
2013107247.tif 000016
【図１５】
2013107247.tif 000017
【図１６】
2013107247.tif 000018